(57)【要約】【課題】同軸ケーブルの一端部にグロメットが取り付けられ略円形に複数巻きされた荷姿を保持したまま容易に収納および取出しができるワイヤハーネス収納ケースを提供する。【解決手段】収納ケース本体１２と、収納ケース本体に被さる蓋体２０とを備え、収納ケース本体１２は、略円形に複数巻きされた同軸ケーブル３を載置する板部１４と、板部の内縁より隆起して形成され同軸ケーブルを板部上にガイドする隆起部１６と、隆起部の上面より下方に延在して設けられた第１の係止部１８とを有し、蓋体２０は、板部の上面の周縁部に当接する筒状側面部２２と、筒状側面部の上面を閉じている上面板部２４と、上面板部の下面より下方に延在して設けられ第１の係止部と係合する第２の係止部２６と、筒状側面部の下面より設けられ同軸ケーブルのグロメット６の近傍部分を内面側から外面側に挿通させるケーブル通し溝２８とを有する。【選択図】図１
2018085841.tif 000002
【特許請求の範囲】
【請求項１】
樹脂成形体である収納ケース本体と、前記収納ケース本体に被さる樹脂成形体である蓋体と、を備え、所要長さの同軸ケーブルと、前記同軸ケーブルの一端部に設けられたグロメットおよび第１の接続端子と、前記同軸ケーブルの他端部に設けられた第２の接続端子と、を有しかつ前記同軸ケーブルを所要径の略円形に複数巻きされ前記両端部の前記第１および第２の接続端子の近くで結束された荷姿形態のワイヤハーネスを、前記グロメットおよび前記第１の接続端子を外部に突出させ、その他を収納するように構成されたワイヤハーネス収納ケースであって、
前記収納ケース本体は、略円形に複数巻きされた前記同軸ケーブルを載置する板部と、前記板部の内縁より隆起して形成され略円形に複数巻きされた前記同軸ケーブルを前記板部上にガイドする隆起部と、前記隆起部の上面より下方に延在して筒状に設けられた第１の係止部と、を有してなり、
前記蓋体は、前記板部の上面の周縁部に当接する筒状側面部と、前記筒状側面部の上面を閉じている上面板部と、前記上面板部の下面より下方に延在して設けられ前記第１の係止部と係合する第２の係止部と、前記筒状側面部の下面より設けられ前記同軸ケーブルの前記グロメットの近傍部分を内面側から外面側に挿通させるケーブル通し溝と、を有してなることを特徴とするワイヤハーネス収納ケース。
【請求項２】
前記板部の下面に設けられた第１の積み重ね用係止部と、
前記蓋体の上面に設けられ前記第１の積み重ね用係止部と係合するように対応している第２の積み重ね用係止部と、を有する、ことを特徴とする請求項１に記載のワイヤハーネス収納ケース。
【請求項３】
前記蓋体の前記上面板部の上面の前記隆起部に対応する位置に、摘みが設けられ、前記隆起部の前記第１の係止部を形成している下方突出部の下面が、前記板部の下面よりも上方位置にあり、かつ両下面同士のギャップが前記摘みの高さ以上であることを特徴とする請求項１または２に記載のワイヤハーネス収納ケース。
【請求項４】
所要長さの同軸ケーブルと、前記同軸ケーブルの一端部に設けられたグロメットおよび第１の接続端子と、前記同軸ケーブルの他端部に設けられた第２の接続端子と、を有し、前記同軸ケーブルを所要径の略円形に複数巻きされ前記両端部の前記第１および第２の接続端子の近くで結束された荷姿形態のワイヤハーネスと、
請求項１ないし３のいずれか一項に記載のワイヤハーネス収納ケースと、を備え、
前記グロメットおよび前記第１の接続端子を外部に突出させ、その他を前記ワイヤハーネス収納ケースに収納したことを特徴とするワイヤハーネス収納アセンブリ。
【発明の詳細な説明】
【技術分野】
【０００１】
本発明は、ワイヤハーネス収納ケースおよびワイヤハーネス収納アセンブリに関する。
【背景技術】
【０００２】
従来より、車両の後部に搭載されるカメラとモニター機器等との間を電気的に接続するためのワイヤハーネスが用いられている。この種のワイヤハーネスとしては、同軸ケーブルの一端部にカメラ接続用の接続端子およびグロメットが取り付けられ、他端部にモニター機器接続用の接続端子が取り付けられた構成のものがある。このグロメットは、車両後部のハッチドア等のパネルに開けられた孔に取り付けられるものであり、該孔に挿通される同軸ケーブルを保護するものである。
【０００３】
通常、このように同軸ケーブルの一端部に接続端子の他にグロメットが装着されたワイヤハーネスは、ワイヤハーネスの製造後、同軸ケーブルを所定の半径の円形状に数回ほど巻き回してリボン等で結束した荷姿で客先に送られている。
【０００４】
一方、各種の通信ケーブルは製造後、所定の半径の円形状に複数回巻き回した荷姿で、ダンボール箱や収容ケースに収容して客先に送られている（例えば、特許文献１参照）。
【０００５】
特許文献１には、円筒形で柔軟性のある透明ビニール製のケース本体と、ケース本体の側面に設けられたファスナーとを備えた通信ケーブル用の収納ケースが開示されいる。このファスナーを開いて通信ケーブルを収納ケースに収納するようになっている。
【先行技術文献】
【特許文献】
【０００６】
【特許文献１】実用新案登録第３１９２１２８号公報
【発明の概要】
【発明が解決しようとする課題】
【０００７】
しかしながら、特許文献１に示す収納ケースにあっては、製造後の通信ケーブルを巻き回しただけの荷姿で収納し、収納したままケーブル端部から繰り出して使用するためのものであり、同軸ケーブルの一端部にグロメットが取り付けられ所定の径の円形状に巻き回された荷姿のワイヤハーネスを、荷姿形態を保持したまま収納するのには適していない。
【０００８】
また、ダンボール箱や特許文献１に記載の収納ケースでは、取出口の開閉に手間が掛かり、通信ケーブルの収納および取出しが容易ではなかった。
【０００９】
本発明は、上述のような従来の問題点を解決するためになされたもので、同軸ケーブルの一端部にグロメットが取り付けられ略円形に複数巻きされた荷姿のワイヤハーネスを荷姿形態を保持したまま容易に収納および取出しができるワイヤハーネス収納ケースおよびワイヤハーネス収納アセンブリを提供することを目的とする。
【課題を解決するための手段】
【００１０】
本発明に係るワイヤハーネス収納ケースは、上記目的達成のため、樹脂成形体である収納ケース本体と、前記収納ケース本体に被さる樹脂成形体である蓋体と、を備え、所要長さの同軸ケーブルと、前記同軸ケーブルの一端部に設けられたグロメットおよび第１の接続端子と、前記同軸ケーブルの他端部に設けられた第２の接続端子と、を有しかつ前記同軸ケーブルを所要径の略円形に複数巻きされ前記両端部の前記第１および第２の接続端子の近くで結束された荷姿形態のワイヤハーネスを、前記グロメットおよび前記第１の接続端子を外部に突出させ、その他を収納するように構成されたワイヤハーネス収納ケースであって、前記収納ケース本体は、略円形に複数巻きされた前記同軸ケーブルを載置する板部と、前記板部の内縁より隆起して形成され略円形に複数巻きされた前記同軸ケーブルを前記板部上にガイドする隆起部と、前記隆起部の上面より下方に延在して筒状に設けられた第１の係止部と、を有してなり、前記蓋体は、前記板部の上面の周縁部に当接する筒状側面部と、前記筒状側面部の上面を閉じている上面板部と、前記上面板部の下面より下方に延在して設けられ前記第１の係止部と係合する第２の係止部と、前記筒状側面部の下面より設けられ前記同軸ケーブルの前記グロメットの近傍部分を内面側から外面側に挿通させるケーブル通し溝と、を有してなることを特徴としている。
【００１１】
上述のように、本発明に係るワイヤハーネス収納ケースは、収納ケース本体が、略円形に複数巻きされた同軸ケーブルを載置する板部と、板部の内縁より隆起して形成され同軸ケーブルを板部上にガイドする隆起部とを有し、蓋体が板部の上面の周縁部に当接する筒状側面部と、筒状側面部の上面を閉じている上面板部とをしている。これにより、蓋体が収納ケース本体に被せられると、上記の板部と隆起部と筒状側面部と上面板部とによって囲まれた環状スペースが形成され、この中に略円形に複数巻きされた荷姿の同軸ケーブルを収納することができる。
【００１２】
また、本発明に係るワイヤハーネス収納ケースは、蓋体の筒状側面部の下面に、同軸ケーブルのグロメットの近傍部分を内面側から外面側に挿通させるケーブル通し溝を有している。これにより、ワイヤハーネスのグロメットおよび第１の接続端子をケース外部に突出させ、その他をケース内部に収納することで、一端部にグロメットが取り付けられた荷姿であっても更に負荷を掛けることなくワイヤハーネスを収納することができる。
【００１３】
また、本発明に係るワイヤハーネス収納ケースは、収納ケース本体の隆起部の上面より下方に延在して筒状に設けられた第１の係止部と、蓋体の上面板部の下面より下方に延在して設けられた第２の係止部とが係合することにより、収納ケース本体に蓋体を取り付けるようになっている。このように、ワイヤハーネス収納ケースの一箇所で収納ケース本体と蓋体を係合させる構成であるので、蓋体を収納ケース本体に容易に着脱することができる。
【００１４】
しかも、収納ケース本体から蓋体を完全に取り外した状態にすることができるので、略円形に複数巻きされた荷姿形態のワイヤハーネスを、隆起部のガイドの下で板部の上に容易に載置することができる。また、ワイヤハーネスをワイヤハーネス収容ケースから取り出す際にも、収納ケース本体から蓋体を完全に取り外した状態にすることができるので、ワイヤハーネスを上記荷姿形態のまま容易に取り出すことができる。
【００１５】
したがって、本発明に係るワイヤハーネス収納ケースは、同軸ケーブルの一端部にグロメットが取り付けられ略円形に複数巻きされた荷姿のワイヤハーネスを荷姿形態を保持したまま容易に収納および取出しができる。
【００１６】
また、本発明に係るワイヤハーネス収納ケースでは、前記板部の下面に設けられた第１の積み重ね用係止部と、前記蓋体の上面に設けられ前記第１の積み重ね用係止部と係合するように対応している第２の積み重ね用係止部と、を有する構成であってもよい。
【００１７】
この構成により、複数のワイヤハーネス収納ケースを安定的に積み重ねることができる。これにより、ワイヤハーネス収納ケースの保管場所の省スペース化が実現できる。
【００１８】
また、本発明に係るワイヤハーネス収納ケースでは、前記蓋体の前記上面板部の上面の前記隆起部に対応する位置に、摘みが設けられ、前記隆起部の前記第１の係止部を形成している下方突出部の下面が、前記板部の下面よりも上方位置にあり、かつ両下面同士のギャップが前記摘みの高さ以上とする構成であってもよい。
【００１９】
この構成により、複数のワイヤハーネス収納ケースを積み重ねるとき、蓋の摘みが障害となることがない。
【００２０】
また、本発明に係るワイヤハーネス収納アセンブリでは、所要長さの同軸ケーブルと、前記同軸ケーブルの一端部に設けられたグロメットおよび第１の接続端子と、前記同軸ケーブルの他端部に設けられた第２の接続端子と、を有し、前記同軸ケーブルを所要径の略円形に複数巻きされ前記両端部の前記第１および第２の接続端子の近くで結束された荷姿形態のワイヤハーネスと、上記に記載のワイヤハーネス収納ケースと、を備え、前記グロメットおよび前記第１の接続端子を外部に突出させ、その他を前記同軸ケーブル収納ケースに収納したことを特徴としている。
【発明の効果】
【００２１】
本発明によれば、同軸ケーブルの一端部にグロメットが取り付けられ略円形に複数巻きされた荷姿のワイヤハーネスを荷姿形態を保持したまま容易に収納および取出しができるワイヤハーネス収納ケースおよびワイヤハーネス収納アセンブリを提供することができる。
【図面の簡単な説明】
【００２２】
【図１】本発明の第１の実施の形態に係るワイヤハーネス収納ケースおよびワイヤハーネス収納アセンブリの分解斜視図である。
【図２】（ａ）は図１の蓋体のＡ−Ａ断面図であり、（ｂ）は図１の収納ケース本体のＢ−Ｂ断面図である。
【図３】（ａ）は図１の荷姿形態のワイヤハーネスを収容した第１の実施の形態に係るワイヤハーネス収納ケースの斜視図であり、（ｂ）は図３（ａ）のＣ−Ｃ断面図である。
【図４】第１の実施の形態に係る蓋体のケーブル通し溝の部分を示す断面説明図である。
【図５】本発明の第２の実施の形態に係るワイヤハーネス収納ケースの収納ケース本体と蓋体の分解断面図であり、ワイヤハーネス収納ケースを積み重ねる様子を仮想線で示している。
【発明を実施するための形態】
【００２３】
以下、本発明に係る実施の形態について図面を参照して説明する。
【００２４】
（第１の実施の形態）
図１に示すように、本発明の第１の実施形態に係るワイヤハーネス収納ケース１０は、ワイヤハーネス２を収納するケースであり、樹脂成形体である収納ケース本体１２と、収納ケース本体１２に被さる樹脂成形体である蓋体２０とを備えている。
【００２５】
ワイヤハーネス２は、例えば、車両後部に取り付けられるカメラと、該カメラから送られてくる映像データを映し出すモニタ機器等とを電気的に接続するために用いられるものである。ワイヤハーネス２は、所要長さの同軸ケーブル３と、同軸ケーブル３の一端部に設けられたグロメット６および第１の接続端子４と、同軸ケーブル３の他端部に設けられた第２の接続端子５と、を有している。
【００２６】
第１の接続端子４は、例えば、同軸ケーブル３をカメラに接続するためのコネクタであり、第２の接続端子５は、例えば、同軸ケーブル３をモニター機器等に接続するためのコネクタである。同軸ケーブル３は、限定するものではないが、例えば、長さ４ｍ、外径８ｍｍのケーブルである。グロメット６は、例えば、車両後部のハッチドア等のパネルに開けられた孔に取り付けられるものであり、該孔に挿通される同軸ケーブル３を保護するための外装部品である。同軸ケーブル３は、このグロメット６を介して、車両外側に取り付けられたカメラから、車両内側に通されてモニター機器等に配索されるものである。
【００２７】
また、図１に示すように、ワイヤハーネス２は、一方の端部に第１の接続端子４およびグロメット６を有し、他方の端部に第２の接続端子５を有している同軸ケーブル３を、所要径の略円形に複数巻きされ両端部の接続端子４、５の近くでリボン７により結束された荷姿形態を有している。この荷姿形態において、同軸ケーブル３は、限定するものではないが、例えば、径３０ｃｍの円形に４巻きされている。
【００２８】
また、ワイヤハーネス収納ケース１０は、図３に示すように、上記荷姿形態のワイヤハーネス２におけるグロメット６および第１の接続端子４をケースの外部に突出させ、その他をケース内に収納するように構成されている。グロメット６はワイヤハーネス収納ケース１０の内部に収納するには大きすぎるため、或いは、グロメット６が同軸ケーブル３を傷つけないように、第１の接続端子４と共にケース外部に突出させている。
【００２９】
図１および図２に示すように、収納ケース本体１２は、板部１４と隆起部１６と第１の係止部としての係止用凹部１８とを有している。板部１４は、略円形に複数巻きされた同軸ケーブル３を載置するようになっている。隆起部１６は、略円形に複数巻きされた同軸ケーブル３を板部１４上にガイドするようになっており、板部１４の内縁より円錐台形状に隆起している。係止用凹部１８は、隆起部１６の上面１６ａより下方に延在して筒状に設けられている。
【００３０】
図１および図２に示すように、蓋体２０は、筒状側面部２２と上面板部２４と第２の係止部としての係止用凸部２６とケーブル通し溝２８と摘み２５とを有している。筒状側面部２２は、蓋体２０を収納ケース本体１２に被せたとき、板部１４の上面の周縁部に当接するようになっている。上面板部２４は、筒状側面部２２の上面を閉じている。係止用凸部２６は、上面板部２４の下面２４ｂより下方に延在して設けられており、収納ケース本体１２の隆起部１６の上面中央に設けられた係止用凹部１８と係合するようになっている。ケーブル通し溝２８は、筒状側面部２２の下面２２ａより設けられおり、同軸ケーブル３のグロメット６の近傍部分を筒状側面部２２の内面側から外面側に挿通させるようになっている。
【００３１】
図２に示すように、蓋体２０の係止用凸部２６は、円錐台形状の本体の側面に環状の山部２６ａ、２６ｂ、２６ｃと環状の谷部２６ｄ、２６ｅが交互に形成されている。収納ケース本体１２の係止用凹部１８は、蓋体２０の係止用凸部２６がスナップフィットで嵌るように、先細状の丸穴の内周面に環状の谷部１８ａ、１８ｂ、１８ｃと環状の山部１８ｄ、１８ｅとが交互に形成されている。
【００３２】
また、図２に示すように、蓋体３４の上面板部２４の上面２４ａにおいて隆起部１６に対応する位置、具体的には、係止用凸部２６が形成された上面板部２４の上面２４ａの中央に、円錐台形状の摘み２５が設けられている。使用者は、摘み２５を持って蓋体２０の係止用凸部２６を収納ケース本体１２の係止用凹部１８に嵌め込むことができ、また、係止用凸部２６が係止用凹部１８に嵌め込まれた状態から、係止用凸部２６を係止用凹部１８から取り外すこともできる。図３（ｂ）に示すように、蓋体２０の係止用凸部２６が収納ケース本体１２の係止用凹部１８に嵌め込まれると、係止用凸部２６の山部２６ａ、２６ｂ、２６ｃが係止用凹部１８の谷部１８ａ、１８ｂ、１８ｃにそれぞれ係合するので、係止用凸部２６と係止用凹部１８とが嵌合した状態を保持することができる。
【００３３】
本実施の形態では、外周面に環状の複数の凹凸が形成された円錐台形状の係止用凸部２６が、内周面に環状の複数の凹凸が形成された先細丸孔の係止用凹部１８と嵌合することにより蓋体２０を収納ケース本体１２に固定する構造であるが、固定構造はこれに限定されない。円柱形状の係止用凸部の外周面に形成された爪部が、丸孔の内周面に形成された環状の凹部に脱出可能に嵌ることで、蓋体２０を収納ケース本体１２に固定する構造であってもよい。要は、スナップフィットで蓋体２０を収納ケース本体１２に固定する構造であれば任意の構造を採用することができる。また、本実施の形態では、同軸ケーブル３の一端部に第１の接続端子４の他にグロメット６が設けられているが、グロメット６の代わりに別の外装部品が装着された構成であってもよい。
【００３４】
図３に示すように、蓋体２０が収納ケース本体１２に被せられ、係止用凸部２６が係止用凹部１８に嵌め込まれると、隆起部１６の上面が蓋体２０の上面板部２４の下面に当接すると共に、筒状側面部２２の下端が板部１４の上面の周縁部に当接する。これにより、収納ケース本体１２の板部１４と隆起部１６の傾斜側面１６ｂと蓋体２０の筒状側面部２２と上面板部２４とによって囲まれた環状スペース２９が形成される。この環状スペース２９の中に略円形に複数巻きされた荷姿の同軸ケーブル３を収納することができるようになっている。
【００３５】
図４に示すように、ケーブル通し溝２８は、蓋体２０の筒状側面部２２の下面２２ａに、筒状側面部２２の円筒中心Ｏからの放射方向に対して所定角度θだけ傾斜した方向に形成されている。角度θは０≦θ＜９０°である。このようにすることで、同軸ケーブル３を必要以上に湾曲させることなく、グロメット６と第１の接続端子４とをケーブル通し溝２８からケース外部に突出させた状態にすることができる。ケーブル通し溝２８の溝幅および溝の高さは、同軸ケーブル３が通る大きさであればよく、例えば、同軸ケーブル３の外径が８ｍｍの場合には、溝幅および溝高をそれぞれ１０〜１５ｍｍ程度とすればよい。
【００３６】
次に、作用・効果について説明する。
本発明の第１の実施の形態に係るワイヤハーネス収納ケース１０は、収納ケース本体１２が、略円形に複数巻きされた同軸ケーブル３を載置する板部１４と、板部１４の内縁より隆起して形成された同軸ケーブル３を板部１４上にガイドする隆起部１６とを有し、蓋体２０が板部１４の上面の周縁部に当接する筒状側面部２２と、筒状側面部２２の上面を閉じている上面板部２４とをしている。これにより、蓋体２０が収納ケース本体１２に被せられると、板部１４と隆起部１６と筒状側面部２２と上面板部２４とによって囲まれた環状スペース２９が形成され、この中に略円形に複数巻きされた荷姿の同軸ケーブル３を収納することができる。
【００３７】
また、本発明の第１の実施の形態に係るワイヤハーネス収納ケース１０は、蓋体２０の筒状側面部２２の下面２２ａに、同軸ケーブル３のグロメット６の近傍部分を内面側から外面側に挿通させるケーブル通し溝２８を有している。これにより、ワイヤハーネス２のグロメット６および第１の接続端子４をケース外部に突出させ、その他をケース内部に収納するようにすることで、一端部にグロメット６が取り付けられた荷姿であっても更に負荷を掛けることなくワイヤハーネス２を収納することができる。
【００３８】
また、本発明の第１の実施の形態に係るワイヤハーネス収納ケース１０は、収納ケース本体１２の隆起部１６の上面１６ａより下方に延在して筒状に設けられた第１の係止部１８と、蓋体２０の上面板部２４の下面２４ｂより下方に延在して設けられた第２の係止部２６とが係合することにより、収納ケース本体１２に蓋体２０を取り付けるようになっている。このように、ワイヤハーネス収納ケース１０の一箇所で収納ケース本体１２と蓋体２０を係合させる構成であるので、蓋体２０を収納ケース本体１２に容易に着脱することができる。
【００３９】
しかも、収納ケース本体１２から蓋体２０を完全に取り外した状態にすることができるので、略円形に複数巻きされた荷姿形態のワイヤハーネス２を、隆起部１６のガイドの下で板部１４の上に容易に載置することができる。また、ワイヤハーネス２をワイヤハーネス収容ケース１０から取り出す際にも、収納ケース本体１２から蓋体２０を完全に取り外した状態にすることができるので、ワイヤハーネス２を上記荷姿形態のまま容易に取り出すことができる。
【００４０】
したがって、本発明の第１の実施の形態に係るワイヤハーネス収納ケース１０は、同軸ケーブル３の一端部にグロメット６が取り付けられ略円形に複数巻きされた荷姿のワイヤハーネス２を荷姿形態を保持したまま容易に収納および取出しができる。
【００４１】
また、本発明の第１の実施の形態に係るワイヤハーネス収納ケース１０では、ワイヤハーネス２は、同軸ケーブル３を所要径の略円形に複数巻きされ両端部の接続端子４、５の近くでリボン７により結束されているので、ケース外部に突出させたグロメット６および第１の接続端子４が必要以上にワイヤハーネス収納ケース１０から引き出されることがない。
【００４２】
（第２の実施の形態）
次に、本発明の第２の実施の形態に係るワイヤハーネス収納ケース３０について説明する。
図５は、本実施の形態に係るワイヤハーネス収納ケース３０の収納ケース本体３２および蓋体３４が分離した状態にあるときの夫々の断面図である。
【００４３】
図５に示すように、第２の実施の形態に係るワイヤハーネス収納ケース３０は、収納ケース本体３２の板部１４の下面に設けられた第１の積み重ね用係止部３６と、第１の積み重ね用係止部３６と係合するように蓋体３４の上面板部２４の上面２４ａに設けられた第２の積み重ね用係止部３８と、を有している点で、第１の実施の形態と相違している。その他の同一の構成要素には同一の符号を付し、詳細な説明を省略する。
【００４４】
図５に示すように、第１の積み重ね用係止部３６は、収納ケース本体３２の板部１４の下面の外周縁部に形成された円環状凸部分である。また、第２の積み重ね用係止部３８は、第１の積み重ね用係止部３６の凸部分の幅と略同じ幅を有し、蓋体３４の上面板部２４の外周縁部に形成された円環状凹部分である。
【００４５】
図５の仮想線（二点鎖線）で示すように、複数のワイヤハーネス収納ケースを積み重ねるとき、上のワイヤハーネス収納ケース３０の収納ケース本体３２の第１の積み重ね用係止部３６が、下のワイヤハーネス収納ケースの蓋体４２の第２の積み重ね用係止部４８に嵌るようになっている。また、隆起部１６の係止用凹部１８を形成している下方突出部１６ｃの下面が、板部１４の下面よりも上方位置にあり、かつ両下面同士のギャップが摘み２５の高さ以上となっている。本実施形態では、下のワイヤハーネス収納ケースの蓋体４２の摘み４５の上面は、上のワイヤハーネス収納ケース３０の収納ケース本体３２の係止用凹部１８が形成されている下方突出部１６ｃの下面に形成された凹部１６ｄに嵌るようになっている。
【００４６】
上記構成により、第２の実施の形態に係るワイヤハーネス収納ケース３０は、複数のワイヤハーネス収納ケースを安定的に積み重ねることができる。また、複数のワイヤハーネス収納ケースを積み重ねるとき、蓋の摘みが障害となることもない。よって、ワイヤハーネス収納ケースの保管場所の省スペース化が実現できる。
【００４７】
また、本発明の実施の形態に係るワイヤハーネス収納アセンブリ１は、図１に示すように、ワイヤハーネス２とワイヤハーネス収納ケース１０、３０とを備えている。ワイヤハーネス収納アセンブリ１のワイヤハーネス２は、所要長さの同軸ケーブル３と、同軸ケーブル３の一端部に設けられたグロメット６および第１の接続端子４と、同軸ケーブル３の他端部に設けられた第２の接続端子５と、を有している。このワイヤハーネス２の荷姿は、上記のようにグロメット６、第１の接続端子４および第２の接続端子５が取り付けられた同軸ケーブル３が所要径の略円形に複数巻きされて、両端部の接続端子４、５の近くでリボン７により結束された形態となっている。本実施の形態に係るワイヤハーネス収納アセンブリ１は、ワイヤハーネス２の上記荷姿形態を保持しつつグロメット６および第１の接続端子４をケース外部に突出させ、その他をワイヤハーネス収納ケース１０、３０に収納した構成となっている。
【００４８】
以上のように、本発明は、同軸ケーブルの一端部にグロメットが取り付けられ略円形に複数巻きされた荷姿のワイヤハーネスを荷姿形態を保持したまま容易に収納および取出しができるという効果を有し、ワイヤハーネス収納ケースおよびワイヤハーネス収納アセンブリの全般に有用である。
【符号の説明】
【００４９】
１  ワイヤハーネス収納アセンブリ
２  ワイヤハーネス
３  同軸ケーブル
４  第１の接続端子
５  第２の接続端子
６  グロメット
１０、３０  ワイヤハーネス収納ケース
１２、３２  収納ケース本体
１４  板部
１６  隆起部
１８  係止用凹部（第１の係止部）
２０、３４  蓋体
２２  筒状側面部
２４  上面板部
２６  係止用凸部（第２の係止部）
２８  ケーブル通し溝
３６  第１の積み重ね用係止部
３８  第２の積み重ね用係止部
【図１】
2018085841.tif 000003
【図２】
2018085841.tif 000004
【図３】
2018085841.tif 000005
【図４】
2018085841.tif 000006
【図５】
2018085841.tif 000007